(57)【要約】送達デバイス（１０）を接続し、送達デバイスの隔壁を貫通するためのペンニードル（３０、１１０）が開示される。ペンニードルは、側壁（３６、１１６）、開口近位端（３８）及び接続メンバーを有する遠位端（４０、１１８）を有するカラー（３２、１１２）を含む。ペンニードルはまた、近位端（５０、１２４）及び遠位端（５８、１２６）を有するニードルハブ（３４、１１４）を含み、ニードルハブの近位端は、カラーの遠位端に接続された接続メンバーを有する。ニードルハブは、カラーから独立して回転する。針（５２）はニードルハブの遠位端から伸び、送達デバイスの隔壁（１０６）を貫通するための突起（７６、１２６）はニードルハブの近位端から伸びる。カラー（３２、１１２）は、ニードルハブ（３４、１１４）から独立して回転し、ニードルハブが回転せず、突起が前進して回転することなく隔壁（１０６）を貫通しながら、送達デバイスのねじ切きりされた端部にカラーをねじ止めする。
2021512729.tif 000002
【特許請求の範囲】
【請求項１】
側壁、開口近位端、及び遠位端を有するカラーと、
前記カラーの前記遠位端に回転可能に接続されるニードルハブであって、近位端及び遠位端を有し、前記遠位端から伸びる針、及び送達デバイスの隔壁を貫通するように構成された前記近位端の突起を有するニードルハブと
を含み、前記カラーは前記ニードルハブから独立して回転可能である、ペンニードル。
【請求項２】
先記カラーの前記側壁は、送達デバイスに接続するように構成された内部ねじ山を有する、請求項１に記載のペンニードル。
【請求項３】
前記カラーは前記遠位端に開口を有し、前記ニードルハブは前記カラーの開口内で回転可能である、請求項２に記載のペンニードル。
【請求項４】
前記カラーの前記遠位端は開口を有する末端壁を有し、前記ニードルハブの前記近位端は、前記カラーの前記末端壁を受容する環状凹部を有する、請求項３に記載のペンニードル。
【請求項５】
前記ニードルハブは、前記近位端に第１のフランジと、前記第１のフランジから離れた第２のフランジであって前記第１のフランジと第２のフランジの間で前記ニードルハブの前記環状凹部を画定する第２のフランジとを有する、請求項４に記載のペンニードル。
【請求項６】
前記ニードルハブの前記近位端は前記送達デバイスの遠位端と一致するように構成される、請求項１に記載のペンニードル。
【請求項７】
前記突起は、前記ニードルハブと一体に形成されたスパイクであり、前記ニードルハブの前記近位端から軸方向に伸びる、請求項１に記載のペンニードル。
【請求項８】
前記突起は、少なくとも１つの傾斜面を有する遠位端を有し、前記突起は前記突起内の管腔と連通する導入用開口を有し、前記針は前記管腔と流体連通する、請求項７に記載のペンニードル。
【請求項９】
前記突起の前記導入用開口は、前記少なくとも１つの傾斜面に形成される、請求項８に記載のペンニードル。
【請求項１０】
前記ニードルハブは、近位端及び遠位端を有する側壁と、前記遠位端の末端壁を有し、前記針は、前記末端壁の外側表面から伸び、前記突起は前記末端壁の内側表面から前記カラーの前記近位端に向けて伸びる、請求項１に記載のペンニードル。
【請求項１１】
前記ニードルハブは、前記ニードルハブの前記近位端で外側に伸びるフランジを有する側壁と、前記フランジから離れた少なくとも１つの外側に伸びたタブを有し、前記カラーの前記遠位端は、前記フランジと前記少なくと１つのタブの間に捕らえられ、前記カラーに前記ニードルハブを接続し、前記カラーは前記ニードルハブに対して回転可能である、請求項１に記載のペンニードル。
【請求項１２】
前記ニードルハブの前記側壁は、前記側壁の回りに、離れて配置された複数の前記タブを含む、請求項１１に記載のペンニードル。
【請求項１３】
ペンニードルであり、
側壁、送達デバイスに接続するように構成された接続部を有する開口近位端、及び中央開口部を有する近位端を有するカラーと、
近位端及び遠位端を有するニードルハブであって、前記ニードルハブの前記近位端は前記カラーの前記遠位端に接続される接続メンバーを有し、前記ニードルハブは前記ペンニードルの長手軸に関して先記カラーから独立して回転可能であるニードルハブと、
前記ニードルハブの前記遠位端から伸びる針と、
前記針を受容し、前記ニードルハブの前記近位端から伸びる管腔を有する突起であって、送達デバイスの隔壁を貫通するように構成され、送達デバイスと前記針の間に流体連通を提供する開口を有する突起と
を含むペンニードル。
【請求項１４】
ニードルハブは、側壁及び前記ニードルハブの前記遠位端の末端壁を有し、前記針は前記末端壁の上面から伸び、前記突起は前記末端壁の底面から伸びる、請求項１３に記載のペンニードル。
【請求項１５】
前記ニードルハブの前記側壁は、前記近位端で外側に伸びる第１のフランジと、前記ニードルハブの前記側壁から外側に伸び、前記第１のフランジから離れて配置される接続メンバーであって、前記中央開口に向けて内側に伸びる前記カラー上のフランジを受ける凹部を形成する接続メンバとを有する、請求項１４に記載のペンニードル。
【請求項１６】
前記接続メンバーは第２のフランジである請求項１５に記載のペンニードル。
【請求項１７】
前記接続メンバーは、前記側壁から外側に突出し、前記第１のフランジから離れて配置された少なくとも１つのタブである、請求項１５に記載のペンニードル。
【請求項１８】
前記少なくとも１つのタブは可撓性である、請求項１７に記載のペンニードル。
【請求項１９】
前記接続メンバーは、環状凹部を画定する前記第１のフランジから離れて配置される複数の可撓性タブを含み、前記カラーの前記遠位端は前記中央開口を画定する内側に放射状に伸びるフランジを有し、前記カラーの前記フランジは、前記ニードルハブの前記環状凹部に受容される、請求項１５に記載のペンニードル。
【請求項２０】
前記複数の可撓性タブは、前記ニードルハブの前記側壁から、前記ペンニードルの長手軸に対して斜めに前記第１のフランジに向けて外側に突出する、請求項１９に記載のペンニードル。
【請求項２１】
前記複数の可撓性タブは、前記ニードルハブの外周に離れて配置される、請求項２０に記載のペンニードル。
【請求項２２】
前記突起は、送達デバイスの隔壁を貫通するための先のとがった先端を有する遠位端を有する、請求項１５に記載のペンニードル。
【請求項２３】
前記先端は、鋭い閉じた端部に収束する複数の傾斜面を有し、前記突起の前記開口が、前記傾斜面の少なくとも１つに形成され、前記鋭い閉じた端部から軸方向に離れている、請求項２２に記載のペンニードル。
【発明の詳細な説明】
【技術分野】
【０００１】
この出願は、２０１８年２月１２日に出願された米国仮出願番号６２／６２９，５６４の優先権を主張し、当該出願はその全体を参照により本明細書に取り込む。
【０００２】
本出願は、一般に、ペンニードル送達デバイスなどの送達デバイスに接続するためのペンニードルに関する。ペンニードルには、物質を患者に送達するためのカニューレ又は針、及び、送達デバイスの隔壁を貫通するための突起を含む。ペンニードルは、突起が送達デバイスの隔壁を貫通するときに隔壁に対して突起を回転することなく送達デバイスに接続するように構成される。
【背景技術】
【０００３】
インスリン及び他の注射可能な医薬品は、一般に、使い捨てペンニードルハブがペンに取り付けられ、薬剤容器にアクセスするのを容易にし、針を通して流体を容器から患者へ放出するのを可能にするドラッグデリバリーペンで送達される。
【０００４】
患者へ物質を供給するための種々のペンニードル送達デバイスが当分野で知られている。送達デバイスは、多くの場合、使い捨てニードルハブを使用し、このハブは患者へ挿入するためのハブの患者側末端から伸びたカニューレ又は針を有する。ハブの非患者側末端は、患者へ物質を送達するためのペン送達デバイスに接続される。
【０００５】
ニードルハブアセンブリは、幾つかのばらのニードルハブを含有する容器に、しばしばパッケージングされる。ニードルハブは、パッケージから選択され、患者に液体を注入するためのペンニードル送達デバイスに取り付けられ、次いで廃棄のために除去される。ニードルハブのパッケージは、ニードルハブを封入する外側カバー、及びニードルハブを除去できるように、外側カバーから引き剥がされて空洞を開く除去可能なシールを含む。ニードルハブは、送達デバイスにねじ止めされる、ねじ切りされた非患者側末端を有していてもよい。ニードルハブを取り付けた送達デバイスは、次に、外側カバーから除去される。内側ニードルシールドがニードルハブに取り付けられ、デバイスが使用可能な状態になるまでカニューレを覆う。シールドが除去され、患者へ物質を送達するのに使用するカニューレを露出する。使用後、ニードルハブは外側カバーに差し戻され、露出したカニューレを封入する。ペン送達デバイスは、外側カバー内にニードルハブを残して、ニードルハブから分離される。
【０００６】
ペンニードルは、多くの場合、ニードルハブの近位、即ち非患者側末端から伸びる針を含む。針は、送達ペンの隔壁を貫通し、薬剤又は他の医薬品にアクセスするように配置される。ペンニードルは、ニードルハブが送達ペンに前進するにつれて針が隔壁を貫通するように、送達ペンの末端にねじ止めされる。典型的には、針は、患者への薬剤の送達を妨げる隔壁に挿入され、隔壁を通る間、曲がることができる細い直径を有する。
【０００７】
既存のペンニードルアセンブリは、Marshらの米国特許出願公開第２００６／０２２９５６２号（特許文献１）及びR. Marchの米国特許出願公開第２００７／０１４９９２４号（特許文献２）に開示されており、これら両方の全内容は、参照により本出願に取り込まれる。
【先行技術文献】
【特許文献】
【０００８】
【特許文献１】米国特許出願公開第２００６／０２２９５６２号
【特許文献２】米国特許出願公開第２００７／０１４９９２４号
【発明の概要】
【発明が解決しようとする課題】
【０００９】
従来のデバイスは目的の用途に適しているが、産業界において、改良されたペンニードルデバイス及び送達デバイスにペンニードルを結合する方法に対する引き続いた必要性が存在する。
【課題を解決するための手段】
【００１０】
（発明の概要）
本発明は、一般に、インスリン送達注入に使用されるペンニードルデバイスなどの送達デバイスに接続するためのペンニードルに関する。ペンニードルは、患者に物質を送達するための針又はカニューレを含む。ペンニードルは、送達デバイスに結合するように構成されたねじ切りされたハブを含む。
【００１１】
一実施形態のペンニードルは、送達デバイスの隔壁を貫通するための、非患者側の近位端から伸び、患者へ送達される薬剤又は他の物質にアクセスする突起を含む。ペンニードルは、患者の皮膚を貫通し物質を送達するための、遠位端から伸びた針又はカニューレを含む。ペンニードルは、突起が送達デバイスの隔壁を貫通するとき、送達デバイスに対して突起を回転することなく送達デバイスに接続するように構成される。
【００１２】
一実施形態では、ペンニードルは、ねじ切りされたカラー及びニードルハブを有し、該カラーは、ニードルハブに対して回転することができる。カラーは、送達デバイスのねじ切りされた末端にねじ止めされ、一方、ニードルハブ及び突起は、回転が固定されたまま残る。ニードルハブは、ねじ止めされたカラーの回転によって軸に沿って移動し、これによって突起が軸に沿って移動し、突起が隔壁及びカラーに対して回転することなく隔壁を貫通する。
【００１３】
ニードルハブはカラーに接続され、該カラーはニードルハブから独立して回転することができる。ニードルハブは、ニードルハブ及びカラーを他方に対して回転することができる接続機構を含む。
【００１４】
一実施形態では、カラーとニードルハブの間の接続はニードルハブ又はカラーの一方のフランジであり、このフランジはニードルハブ又はカラーの他方の凹部と一致する。カラーは、ニードルハブの環状の凹部に受容される内側に伸びたフランジによって画定される開口末端を有する。
【００１５】
別の実施形態では、接続は、環状の凹部を画定するニードルハブから外側に伸びた間隔のあいた２つのフランジであってよい。カラーの上部遠位端は、ニードルハブの環状の凹部に受容され、ニードルハブに対してカラーの回転を可能にする。
【００１６】
更なる実施形態では、接続は、ニードルハブ上のフランジと、ニードルハブから外側に突出し、フランジから離れて配置された少なくとも１つのタブである。フランジとタブの間のスペースは、カラーがニードルハブに対して回転できるようにカラーの上部末端を取り込む。
【００１７】
ペンニードルの構成は、ペンニードルに、側壁、開口近位端及び遠位端を有するカラーとニードルハブを提供することによって基本的に得ることができる。ニードルハブは、カラーの遠位端に回転可能に接続される。ニードルハブは、近位端及び遠位端を有する。針は、ニードルハブの遠位端から伸び、突起は近位端から伸びる。突起は、ペンニードルが送達デバイスに結合されるときに、送達デバイスの隔壁を貫通するように構成される。カラーはニードルハブ及び突起から独立して回転可能であり、その結果、カラーが回転され、送達デバイスに取り付けられるとき、ニードルハブは、その回転を固定したままにできる。ニードルハブは、カラーの軸方向の移動と共に軸方向に移動することができる。
【００１８】
この構成は、カラー及びニードルハブを有するペンニードルハブを提供することによって、更に得ることができる。カラーは、側壁、接続メンバーを有する開口近位端、及び遠位端を有する。ニードルハブは近位端及び遠位端を有する。ニードルハブの近位端はカラーの遠位端に接続される接続メンバーを有し、カラーはニードルハブから独立して回転可能である。針はニードルハブの遠位端から伸び、突起はニードルハブの近位端から伸びる。突起は、ペンニードルが送達デバイスに取り付けられるとき、送達デバイスの隔壁を貫通するように構成される。
【００１９】
本発明の構成はまた、ペンニードルをペンニードル送達デバイスに組み立てる方法を提供することによって得られる。この方法は、ペンニードル送達デバイスをペンニードルに挿入することを含み、ペンニードルはねじ切りされたカラーとニードルハブとを含み、該カラーは近位端及び遠位端を有し、該ニードルハブはカラーの遠位端に回転可能に接続される近位端と、遠位端であって該遠位端から伸びた針を有する遠位端とを有する。ニードルハブは、ニードルハブの近位端に向けて伸びた突起を有する。カラーは、ニードルハブを回転することなくペンニードル送達デバイスの隔壁を貫通するようにペンニードル送達デバイスに対して回転可能である。
【００２０】
本発明の目的、利点、及び顕著な特徴は、添付の図面と組み合わせて、本発明の例示的な実施形態を開示する以下の詳細な説明から明らかになるであろう。
【００２１】
本発明の種々の実施形態の上記利益及び他の利点は、以下の、本発明の例示的実施形態の詳細な説明から、及び添付の図面からより明らかになるであろう。
【図面の簡単な説明】
【００２２】
【図１】図１は、ペンニードル送達デバイスの分解斜視図であり、カニューレを支持するニードルハブ、内側シールド、及び外側カバーを含むペンニードルアセンブリを示す。
【図２】図２は、図１のペンニードルの断面図である。
【図３】図３は、一実施形態のペンニードルの斜視図である。
【図４】図４は、図３のペンニードルの断面斜視図である。
【図５】図５は、ペンニードルの側断面図であり、送達デバイスに接続されたカラーとニードルハブを示す。
【図６】図６は、図３のペンニードルのカラーの斜視図である。
【図７】図７は、図６のカラーの断面斜視図である。
【図８】図８は、図６のカラーの断面図である。
【図９】図９は、図３の一実施形態のニードルハブの斜視図である。
【図１０】図１０は、ニードルハブの断面斜視図である。
【図１１】図１１は、ニードルハブの側断面図である。
【図１２】図１２は、ニードルハブの底面斜視図であり、突起を示す。
【図１３】図１３は、図１２の突起の底面端面図である。
【図１４】図１４は、代替実施形態の突起の底面端面図である。
【図１５】図１５は、第２の実施形態のペンニードルの斜視図である。
【図１６】図１６は、図１５のペンニードルの断面斜視図である。
【図１７】図１７は、図１５のペンニードルの側断面図である。
【図１８】図１８は、送達デバイスに接続されたペンニードルを示す断面図である。
【図１９】図１９は、カラーの断面図である。
【図２０】図２０は、突起を示す断面の上面斜視図である。
【図２１】図２１は、図１５の実施形態のニードルハブの斜視図である。
【図２２】図２２は、ニードルハブの底面斜視図である。
【発明を実施するための形態】
【００２３】
図面の全体を通して、同じ参照番号は同じ部品、コンポーネント、及び構造を示すと理解されたい。
【００２４】
（例示的実施形態の詳細な説明）
本発明は、ペンニードル送達デバイスなどの送達デバイスに結合するためのペンニードルを指向する。ペンニードルは、患者へ物質を送達するための針又はカニューレを支持し、ペンニードルが送達デバイスに取り付けられるときに送達デバイスの隔壁を貫通するための突起を含む。ペンニードルは、突起が送達デバイスに対して実質的に回転することなく直線方向に移動し、ペンニードルが送達デバイスに取り付けられるとき送達デバイスの隔壁を貫通するように構成される。
【００２５】
本発明の実施形態の基準は添付の図面に例示されており、当該図面では、全体を通して同じ参照番号は同じ要素を示す。本明細書に記載された実施形態は、図面を参照して本発明を例示するが、これに限定されない。
【００２６】
本開示は、以下の説明で述べるか、又は図面に示されたコンポーネントの構造及び配置の細部にその適用を制限されないことは、当業者に理解されるであろう。本明細書の実施形態は、種々の形式で、修飾され、実行され、又は実施されることができる。本明細書で使用される表現及び用語は、説明を目的とするものであり、制限と見做されるべきではないことは理解されるであろう。本明細書において、「含む（incouding）」、「含む（comprising）」又は「有する」、及びこれらの変形は、これらの語の後に列記された項目及びそれらの等価物、並びに追加の項目を包含することを意味する。特に制限がなければ、本明細書において、用語「結合された（connected）」、「接続された（coupled）」及び「装着された（mounted）」並びにこれらの変形は、広範囲に使用され、直接的及び間接的な結合、接続及び装着を包含する。加えて、用語「結合された」及び「接続された」並びにこれらの変形は、物理的又は機械的な結合又は接続に限定されない。更に、上、下、底部及び上部などの用語は、相対的であり、描画を補助するために使用され、制限を意図しない。異なる実施形態の構成は、他の実施形態の構成と互いに矛盾しない限り、他の実施形態の構成と組み合わせることができる。
【００２７】
図１に示されるように、ペンニードル送達デバイス１０は、典型的には、用量ノブ／ボタン、外側スリーブ１２、及びキャップを含む。用量ノブ／ボタンは、使用者が注入される医薬品の用量を設定することを可能にする。外側スリーブ１２は、医薬品を注入するとき使用者によって握られる。キャップは、シャツのポケット又は他の適切な位置にペンニードルデバイス１０を安全に保持し、偶発的な針による損傷からの防御／保護を提供するために使用者によって使用される。
【００２８】
標準的なペンニードルデバイスにおいて、投与及び送達機構は外側スリーブ１２内に全て見出され、これらは当業者によって理解されるので、本明細書ではより詳細には説明しない。医薬カートリッジは、典型的には、公知の取り付け手段によって標準的なペン注入器ハウジングに取り付けられる。医薬カートリッジ内のプランジャ又はストッパの遠位側への移動は、レシーバーハウジング内に医薬品を押しやる。医薬カートリッジは、隔壁によって密閉され、レシーバー又はハウジング内に配置された、隔壁を貫通するニードルカニューレによって穴あけされる。リザーバーハウジングは、好ましくは、医薬カートリッジにねじ止めされるが、他の取り付け手段も使用可能である。ペンニードル送達デバイスは、産業界で公知の標準的ペン送達デバイスであってよく、従って、ペンニードル送達デバイスは詳細に示さない。図２に示されるペンニードルアセンブリは、カニューレ２０を支持するニードルハブ１６、外側カバー２２、及び内側シールド２４を含む。保護シール２６は、図２に示されるように、外側カバーの開口端に取り付けられ、ニードルハブ及びカニューレを封入し、清浄及び滅菌状態を維持する。シール２６は、外側カバーから容易に剥がせ、使用の間にニードルハブにアクセスできるラベル又は他の閉鎖メンバーでありうる。
【００２９】
ペンニードル送達デバイス１０は、図１に示されるニードルハブ１６に接続され、ニードルハブは、送達デバイス１０のねじ切りされた端部１４にねじ止めする内部ねじ山を有する結合用の非患者側末端を有する。針２０は、患者へ物質を送達するために、ニードルハブ１６の患者側末端から伸びる。外側カバーは、ニードルカニューレを覆い、使用の前後で、偶発的な針刺しから患者を保護するために提供されうる。外側カバー２２は、使用の間に外側カバーをつかむのを補助するためのリブ２３を含む。内側シールド２４は、ニードルハブ１６の末端から伸びるポストを越えて提供され、カニューレを封入する。使用の間に、ニードルハブ１６はペン送達デバイスに結合され、内側シールドは除去される。使用後、外側カバーは、一般に、ニードルハブに戻され、ニードルカニューレを覆う。カバーを有するニードルハブは、次にペンニードル送達デバイスから除去され、廃棄される。
【００３０】
図３〜１３を参照すると、ペンニードル第１の実施形態が示される。示された実施形態のペンニードル３０は、カラー３２及びニードルハブ３４を含む。ニードルハブ３４は、カラー３２がニードルハブ３４に対して長手軸の回りに自由に回転できるように、適切な接続機構によってカラー３２に接続される。ニードルハブ３４及びカラー３２は、典型的には、堅いプラスチック材料で作成される。示された実施形態では、ニードルハブ３４及びカラー３２は、組み立てられてペンニードル３０を形成する別々の要素として作成される。
【００３１】
図４及び図６〜８に示されるように、カラー３２は、図１のペンニードル送達デバイスなどの送達デバイスの末端に結合するように構成される。示された実施形態では、カラー３２は、開口近位端３８及び遠位端４０を形成する側壁３６を有する。近位端は、図５に示されるような、送達デバイスと接続するための開口である。側壁３６は、送達デバイスと接続するための内部ねじ山４２を有する内側表面を有する。図４に示されるような面取りされたエッジ４４は、送達デバイスとシールを形成し、カラー３２の開口端に送達デバイスを挿入するのを容易にするためにわずかに大きな開口を形成する。
【００３２】
側壁３６の遠位端４０は、末端壁４６を含む。示された実施形態では、末端壁４６は、カラー３２の長手軸に実質的に垂直に伸びる。末端壁４６は、図６〜８に示されるようにカラー３２の遠位端４０の開口５０を画定する内側エッジ４８を有する。
【００３３】
ニードルハブ３４は、図４に示されるように針５２を支持するための形状及び配置を有する。図９〜１１を参照すると、針は、当分野で公知の、患者へ薬剤又は他の物質を送達するための管腔を有する。針５２は、ペンニードルに一般に使用される長さ及び規格を有する。一実施形態では、針は、約３〜４ｍｍの長さを有しうるが、長さは、意図した使用及び患者の皮膚に侵入する意図した深さによって選択することができる。ニードルハブ３４は、カラー３２に結合され、ペンニードル３０の長手軸の回りにカラーに対して自由に回転可能である。
【００３４】
示された実施形態では、ニードルハブ３４は、開いた近位端５６及び閉じた遠位端５８を有する側壁５４によって形成される。示された実施形態では、側壁５４は、実質的に円筒状の配置を有するが、他の形状及び寸法を有していてもよい。ニードルハブ３４の遠位端５８は末端壁６０を有し、この末端壁は、ニードルハブの遠位端を閉じ、患者と接触して患者に物質を送達する間の針の侵入の深さを制限するための皮膚接触面を画定する。示された実施形態では、末端壁６０は、皮膚接触面を形成する外側環状リング６２及び内側ポスト６４を有する。凹部領域６６が、外側リング６２と内側ポスト６４の間に形成され、ニードルハブの皮膚接触面の部分を形成する。互いに関連した内側及び外側リングの輪郭及び位置は、針が患者に挿入され、皮膚接触面が使用者による一般的な挿入力によって皮膚に対して押圧されるとき、皮膚の変形を制御する。図１０に示されるように、外側リング６２、内側リング６４及び凹部部分６６は、円錐形の凸形状を形成する。
【００３５】
末端壁６０は、ニードルハブの近位端に向けて伸びる突起７０を有する内側表面６８を有する。示された実施形態では、突起７０は、スパイク又はランセットを形成し、突起７０が図４に示されるようにカラーに伸びるようにニードルハブ３４の側壁５４の長手寸法よりも大きい長さを有する。管腔を画定する軸方向の通路７２は、突起７０及び末端壁６０を通って伸びる。軸方向の通路７２は、図４に示されるように針５２を受容し、支持し、針５２の管腔と突起７０の管腔の間の流体の連通を提供する。突起７０の円錐形状の部分７４は、ニードルハブに針５２を結合するための接着剤を受容するために、末端壁６４に形成される。明確にする目的で、接着剤は記載されていない。
【００３６】
図１０を参照すると、突起７０は、鋭い又はとがった先端７８で終端する実質的に円筒状の本体７６を有する。鋭い先端７８は、閉じた遠位端を形成し、ペンニードル３０が送達デバイスに取り付けられるときに送達デバイスの隔壁１０６を貫通するように構成される。軸方向の通路７２は、先端７８と末端壁６０の間に伸び、突起７０を通して針５２への流体連通を提供する。放射状に伸びるリブ８０は、図１２に示されるように、末端壁６０の内側表面上に形成され、突起を安定化し、末端壁６０を補強するのを助ける。針５２は、軸方向の通路７２の遠位端に配置される。このデバイスの実施形態では、突起７０は針５２とは別の要素であり、針の近位端は軸方向の通路７２に挿入され、突起７０の管腔と連通する。針は、典型的にはステンレス鋼で作成され、ニードルハブは、典型的にはプラスチック材料で作成される。示された実施形態の突起は、ワンピース型成形ユニットのように、ニードルハブと一体に形成される。他の実施形態では、突起は、適切な取り付け機構によってニードルハブに取り付けられる別のメンバーであってよい。針は、ニードルハブの遠位端への適切な接着により取り付けることができる。
【００３７】
突起７０の先端７８は、送達デバイスから針５２への流体連通を確保しながら、隔壁を効果的に貫通する鋭い又はとがった先端を提供するための、種々の形状及び構成を有しうる。図１２及び１３を参照すると、先端７８は、針頭８４に収束する傾斜面８２によって形成されうる。傾斜面８２は、示されるように平坦であり得、凸状の輪郭又は凹状の輪郭を有しうる。示された実施形態では、傾斜面８２のそれぞれには、軸方向の通路７２と連通する開口８６が形成され、針との流体連通を提供する。開口８６は、好ましくは、開口が、送達デバイスの隔壁を突起が貫通するのを妨げず、開口が隔壁の中心部をくりぬかないように、針頭８４から軸方向に離れている。開口８６は、送達デバイスから針へ医薬品の十分な流れを提供する形状及び寸法を有する。示された実施形態では、開口８６は、一般に、三角形状を有するが、他の形状も使用できる。示された実施形態では、４つの傾斜面が提供されているが、傾斜面の数は、突起の直径及び長さによって変化しうる。
【００３８】
図１４に示される代替の実施形態では、突起７０の先端７８は傾斜面８２によって形成され得、全傾斜面より少ない傾斜面に開口８６が含まれる。図１４に示された実施形態では、２つの開口８６が、対向する傾斜面８２に提供される。この開口は、傾斜面及び突起の先端に対して配置され、所望の用量及び流速で送達するための送達ペンのリザーバー及び針から患者への物質の効果的な送達を提供する。
【００３９】
ニードルハブ３４の近位端５６には、ニードルハブとカラーの間の回転を可能にしながら、ニードルハブ３４をカラー３２に結合するための接続部が形成される。図９〜１２に示された実施形態では、接続部は、ニードルハブ３４の側壁５４の近位端から外側に放射状に伸びる環状フランジ８８によって形成される。フランジ８８は、図５に示されるカラー３２の内側の寸法と相補的な垂直エッジ９０を有し、ニードルハブ３４の側壁５４は、カラー内の開口５０と相補的な寸法を有し、これによってニードルハブ３４はカラー内の開口内で回転することができる。フランジ８８は、カラー３２の末端壁４６の底面と相補的な表面を有する、図１０に示す上面９２を有する。示された実施形態では、上面９２は、ニードルハブ３４の長手軸から外側に放射状に伸びる実質的に平坦な表面である。図１０に示されるフランジ８８の底面９４はまた、カラー３２の送達デバイス１０の端部と一致した、実質的に平坦な放射状に伸びる表面を有する。
【００４０】
示された実施形態の接続機構は、ニードルハブ３４の側壁５４から外側に放射状に伸びる第２のフランジ９６も含む。第２のフランジ９６は、末端壁４６の厚みに実質的に対応する距離でフランジ８８から離れている。図９及び１０に示されるように、フランジ９６は、フランジ８８の半径方向の寸法よりも短い半径方向の寸法を有する。フランジ９６は、面取りされたエッジ１００を備えた上面９８を有する。面取りされたエッジ１００は、カラー３２にニードルハブ３４を接続するためのスナップ結合によって末端壁４６の開口５０の内側エッジ上をスライドすることができる。図４に示されるように、ニードルハブ３４は、フランジ８８とフランジ９６の間の凹部１０２に捕らえられる末端壁４６によってカラー３２に接続される。カラー３２及びハブ３４は、ニードルハブがカラー３２の開口端内で自由に回転することができるように、互いに結合される。
【００４１】
ペンニードル３０は、図５に示されるように、送達デバイス１０のねじ切りされた端部に結合される。カラー３２は、図５に示される矢印１０４によって指示されるように回転され、送達デバイス１０にペンニードルを前進させる。カラー３２は、回転して送達デバイスのねじ切りされた端部にカラーをねじ止めする。ニードルハブ３４は、実質的にニードルハブ３４の回転移動なしに、ニードルハブ３４が図５の矢印１０８に示される直線方向に隔壁１０６に向けて移動するようにカラー３２に対して回転が固定されたままとなりうる。突起７０は、送達デバイスの隔壁に対して突起をひねるか又は回転することなく、実質的に直線方向に移動することによって隔壁６０を貫通することができる。図５に示されるように、送達デバイスにカラーをねじ止めすることは、突起７０が隔壁を貫通し、送達デバイスの内容物にアクセスし、送達デバイスと針５２の間の流体連通を提供することを可能にする。一実施形態では、突起７０の末端は、突起が隔壁とかみ合う前に、カラーのねじ山が送達デバイスのねじ山と嵌合するように、カラー３２の近位端から内側にスペースを持つ。送達デバイス１０に対してカラー３２を回転すると、ニードルハブ及び突起が隔壁を有する嵌合部に移動される。
【００４２】
カラーとニードルハブの間の接続デバイスは、これによってニードルハブがカラーに結合され、カラー及びニードルハブが互いに対して回転できる、任意の適切な構成であればよい。
【００４３】
図１５〜２２に示される別の実施形態では、ペンニードル１１０は、カラー１１２及びニードルハブ１１４を含む。カラー１１２は、図３〜１４の実施形態と実質的に同じであり、カラー１１２は、側壁１１６と末端壁１１８を含み、該末端壁１１８は開口１２０を形成する内側エッジと共に内側に伸びたフランジを形成する。
【００４４】
ニードルハブ１１４は先の実施形態のニードルハブと同様である。図２０〜２２を参照すると、ニードルハブ１１４は、近位端１２４及び遠位端１２６を有する実質的に円筒状の構成を有する側壁１２２を有する。末端壁１２８は、先の実施形態のように針５２を支持するために遠位端１２６に形成される。示された実施形態の末端壁１２８は、内側ポスト及び外側リングを有し、先の実施形態と同様の様式で皮膚接触面を形成する。
【００４５】
側壁１２２の近位端１２４は、カラー１１２の内側の寸法と相補的な寸法を有する、外側に伸びたフランジ１３０を含む。フランジ１３０は、図１８に示されるように、送達デバイスの末端と一致する底面１３２、及びカラー１１２の内側に伸びるフランジ１１８の底面と接触する上面１３４を有する。ニードルハブ１１４は、隔壁を貫通する、末端壁１２８から軸方向に伸びる突起１４４を含み、この突起は、先の実施形態のように、針５２を支持する管腔１５０を有する。突起１４４は、先の実施形態と実質的に同じである。
【００４６】
示された実施形態において、カラー１１２とニードルハブ１１４の間の接続は、少なくとも１つ、典型的には複数のタブ１３６を含む。タブ１３６は、側壁１２２の切り抜き１４８によって形成される。図１６に示されるように、タブ１３６は、側壁１２２と一体に形成され、ニードルハブの近位端に向けて側壁から斜めに外側に突出し、タブ１３６の端とフランジ１３０の間に環状の凹部を形成する。タブ１３６は、側壁に結合された第１の端部と、カラー１１２のフランジ１１８と接触する自由端１３８とを有する。タブ１３６は、実質的に可撓性であり、ニードルハブがカラーの開口を通してニードルハブをスライドさせることによってカラー１１２に結合され、これによってタブ１３６がカラー１１２の末端壁又はフランジ１１８を経てスライドし、図１６に示される位置に外側にスナップすることができる。示された実施形態では、ニードルハブは、４つのタブ１３６を含むが、タブの数は、カラーに対してニードルハブの回転を阻害することなくカラーにニードルハブを保持するのに応じて、４つを越えても、又は４つより少なくてもよい。
【００４７】
図１８を参照すると、ペンニードル１１０は、矢印１４０の方向に送達デバイスのねじ切りされた端部にカラー１１２をねじ止めすることによって送達デバイスに結合される。カラー１１２の回転は、ニードルハブ１１４から独立しており、ニードルハブは回転することなく直線方向に移動する。ニードルハブ１１４は、回転することなく軸方向に移動することができ、突起が送達デバイスと針の間の流体連通を形成するように、矢印１４２によって示される直線方向に隔壁を貫通することができる。
【００４８】
上記の実施形態及び利点は、例示であり、本発明の範囲を制限すると理解されるべきではない。本発明の例示的実施形態の記述は、説明を意図しており、本発明の範囲を制限することを意図しない。種々の修飾、改変および変更は、当業者に明らかであり、本発明の範囲内に入ることが意図されている。特に、異なる実施形態の特徴及び特許請求の範囲は、互いに矛盾しない限り互いに組み合わされうることに注意すべきである。従って、全てのかかる修飾は、添付の特許請求の範囲及びこれらの等価物で定義される本発明の範囲に含まれることが意図される。
【図１】
2021512729.tif 000003
【図２】
2021512729.tif 000004
【図３】
2021512729.tif 000005
【図４】
2021512729.tif 000006
【図５】
2021512729.tif 000007
【図６】
2021512729.tif 000008
【図７】
2021512729.tif 000009
【図８】
2021512729.tif 000010
【図９】
2021512729.tif 000011
【図１０】
2021512729.tif 000012
【図１１】
2021512729.tif 000013
【図１２】
2021512729.tif 000014
【図１３】
2021512729.tif 000015
【図１４】
2021512729.tif 000016
【図１５】
2021512729.tif 000017
【図１６】
2021512729.tif 000018
【図１７】
2021512729.tif 000019
【図１８】
2021512729.tif 000020
【図１９】
2021512729.tif 000021
【図２０】
2021512729.tif 000022
【図２１】
2021512729.tif 000023
【図２２】
2021512729.tif 000024
【国際調査報告】
2021512729.tif 000025